(57)【要約】【課題】簡易かつ安全にロール状の記録媒体を装填することのできるマガジンを提供する。【解決手段】ロール状の感光材料Ｐが装填される一対のカバー６と、カバー６を開閉可能に連結するヒンジ６１と、カバー６１の内部であってヒンジ６１を中心にカバー６を開放したとき底部を構成する面に配置されヒンジ６１の軸方向に延在しロール状の記録媒体Ｐを仮置きする仮置き台５０と、を備えた。【選択図】図１
2006227280.tif 000002
【特許請求の範囲】
【請求項１】
ロール状の記録媒体が装填される一対のカバーと、
前記カバーを開閉可能に連結するヒンジと、
前記カバーの内部であって前記ヒンジを中心に前記カバーを開放したとき底部を構成する面に配置され前記ヒンジの軸方向に延在し前記ロール状の記録媒体を仮置きする仮置き台と、を備えたことを特徴とするマガジン。
【請求項２】
前記仮置き台の上面は、前記ヒンジの軸方向における両端部から前記軸方向における中央部に向かって低くなる傾斜面となっていることを特徴とする請求項１に記載のマガジン。
【請求項３】
前記仮置き台は、前記ヒンジを挟んで前記各カバーに配置される一対の台部材により構成され、各台部材の各上面は前記ヒンジに向かって低くなる傾斜面となっていることを特徴とする請求項１に記載のマガジン。
【請求項４】
前記仮置き台は、前記ロール状の記録媒体を仮置きしたとき前記ロール状の記録媒体を前記カバー及び前記カバー内に配置される部材と干渉しない位置に保持するものであることを特徴とする請求項１から請求項３のいずれか一項に記載のマガジン。
【請求項５】
前記ロール状の記録媒体は、中心に軸を通す中空部を備え、
前記仮置き台は、前記ロール状の記録媒体を仮置きしたとき前記中空部の軸方向に前記カバーが位置しないように前記ロール状の記録媒体を保持するものであることを特徴とする請求項１から請求項４のいずれか一項に記載のマガジン。
【請求項６】
前記カバーの両側壁に設けられ前記記録媒体を支持する回転軸を回転自在に支持する軸受けを備え、
前記一対の台部材のうち一方の前記台部材は、前記カバーを閉じる際に前記記録媒体を他方の前記台部材の位置する側に押圧するとともに前記カバー及び前記カバー内に配置される部材と干渉しない位置に退避可能な押圧部を備える押圧側台部材とされ、
前記他方の台部材は誘導側台部材とされ、前記誘導側台部材は前記ヒンジと対向する側と反対側に前記ヒンジから離れる方向に向かって低くなる傾斜面を有することを特徴とする請求項３から請求項５のいずれか一項に記載のマガジン。
【請求項７】
前記誘導側台部材の配置される前記カバーの前記両側壁に前記カバーを閉じる際に前記回転軸を支持し前記軸受けまで誘導する張り出し部を設けたことを特徴とする請求項６に記載のマガジン。
【発明の詳細な説明】
【技術分野】
【０００１】
本発明は、マガジンに係り、特にロール状の記録媒体が装填されるマガジンに関するものである。
【背景技術】
【０００２】
従来、各種の印刷又は現像等の分野において、長尺な記録媒体をロール状に巻回したものが使用されている。ロール状の記録媒体は、印刷又は現像等の処理を行った後に適宜切断することができるため、様々な大きさの印刷等に対応することができ、便利である。
【０００３】
また、いわゆる「ミニラボ」と呼ばれる感光材料処理装置では、ロール状に巻回された感光用記録媒体（感光材料）をマガジンに装填したものが用いられる（例えば、特許文献１及び特許文献２参照）。
【０００４】
このようなロール状の記録媒体を用いる場合には、使用により記録媒体が無くなると、マガジン内に新たな記録媒体を装填する必要がある。そして、従来のマガジンでは、例えば、図６に示すように、ヒンジ９１によって連結されたカバー９２，９２の一方に、記録媒体を支持する回転軸９３をカバー９２，９２を開放した際に床面に対してほぼ垂直となるように立設し、記録媒体を交換する際には、この回転軸９３に上方から記録媒体をはめ込むことにより装填する方式のものが提案されている。また、特許文献１には、記録媒体を所定の向きでマガジンの中に入れた後マガジンの側方から記録媒体に支持軸を挿入することによって記録媒体を固定する構成が開示されている。
【特許文献１】特開２０００−３０２３００号公報
【特許文献２】特開２００４−２７１６７３号公報
【発明の開示】
【発明が解決しようとする課題】
【０００５】
しかしながら、未使用のロール状の記録媒体は相当重量を有するため、特許文献１に開示されているマガジンや図６に示すようなマガジンの場合には、ユーザがマガジンに記録媒体を装填する際に手を挟まれて怪我をする等の事故が起こる危険があり、ユーザの負担が大きいとの問題がある。
【０００６】
また、特に感光材料処理装置で用いられる感光材料は不要に光が当たると感光して使用できなくなってしまうため、感光を防止するために暗室や暗袋等の中でマガジンへの装填作業を行う必要がある。この場合、目視にて記録媒体の向き等を確認することができず、重量のある記録媒体を正確にマガジン内に装填するには一層時間と手間がかかり、事故の危険も増大するとの問題があった。
【０００７】
そこで、本発明は以上のような課題を解決するためになされたものであり、簡易かつ安全にロール状の記録媒体を装填することのできるマガジンを提供することを目的とするものである。
【課題を解決するための手段】
【０００８】
このような問題を解決するため、請求項１に記載の発明におけるマガジンは、ロール状の記録媒体が装填される一対のカバーと、
前記カバーを開閉可能に連結するヒンジと、
前記カバーの内部であって前記ヒンジを中心に前記カバーを開放したとき底部を構成する面に配置され前記ヒンジの軸方向に延在し前記ロール状の記録媒体を仮置きする仮置き台と、を備えたことを特徴としている。
【０００９】
請求項１に記載の発明によれば、ヒンジを中心としてカバーを開放したとき、ヒンジの軸方向に延在する仮置き台にロール状の記録媒体を仮置きできるようになっている。
【００１０】
請求項２に記載の発明は、請求項１に記載のマガジンにおいて、前記仮置き台の上面は、前記ヒンジの軸方向における両端部から前記軸方向における中央部に向かって低くなる傾斜面となっていることを特徴としている。
【００１１】
請求項２に記載の発明によれば、仮置き台は、ヒンジの軸方向における両端部から軸方向における中央部に向かって低くなるように傾斜する上面にロール状の記録媒体を保持するようになっている。
【００１２】
請求項３に記載の発明は、請求項１に記載のマガジンにおいて、前記仮置き台は、前記ヒンジを挟んで前記各カバーに配置される一対の台部材によって構成され、各台部材の各上面は前記ヒンジに向かって低くなる傾斜面となっていることを特徴としている。
【００１３】
請求項３に記載の発明によれば、ヒンジを挟んで各カバーに配置され、上面がヒンジに向かって低くなるように傾斜する一対の台部材によってロール状の記録媒体が保持されるようになっている。
【００１４】
請求項４に記載の発明は、請求項１から請求項３のいずれか一項に記載のマガジンにおいて、前記仮置き台は、前記ロール状の記録媒体を仮置きしたとき前記ロール状の記録媒体を前記カバー及び前記カバー内に配置される部材と干渉しない位置に保持するものであることを特徴としている。
【００１５】
請求項４に記載の発明によれば、ロール状の記録媒体を仮置き台に仮置きしたとき、ロール状の記録媒体はカバー及びカバー内に配置される各種部材と干渉しないようになっている。
【００１６】
請求項５に記載の発明は、請求項１から請求項４のいずれか一項に記載のマガジンにおいて、前記ロール状の記録媒体は、中心に軸を通す中空部を備え、
前記仮置き台は、前記ロール状の記録媒体を仮置きしたとき前記中空部の軸方向に前記カバーが位置しないように前記ロール状の記録媒体を保持するものであることを特徴としている。
【００１７】
請求項５に記載の発明によれば、ロール状の記録媒体を仮置き台に仮置きしたとき、記録媒体の中空部の軸方向にカバーが位置しないようになっている。
【００１８】
請求項６に記載の発明は、請求項３から請求項５のいずれか一項に記載のマガジンにおいて、前記カバーの両側壁に設けられ前記記録媒体を支持する回転軸を回転自在に支持する軸受けを備え、
前記一対の台部材のうち一方の前記台部材は、前記カバーを閉じる際に前記記録媒体を他方の前記台部材の位置する側に押圧するとともに前記カバー及び前記カバー内に配置される部材と干渉しない位置に退避可能な押圧部を備える押圧側台部材とされ、
前記他方の台部材は誘導側台部材とされ、前記誘導側台部材は前記ヒンジと対向する側と反対側に前記ヒンジから離れる方向に向かって低くなる傾斜面を有することを特徴としている。
【００１９】
請求項６に記載の発明によれば、カバーを閉じる際、記憶媒体が押圧側台部材の押圧部によって押圧され誘導側台部材の傾斜面に沿って転がり、回転軸がカバーの側壁に沿って移動することによって軸受けまで誘導されるようになっている。
【００２０】
請求項７に記載の発明は、請求項６に記載のマガジンにおいて、前記誘導側台部材の配置される前記カバーの前記両側壁に前記カバーを閉じる際に前記回転軸を支持し前記軸受けまで誘導する張り出し部を設けたことを特徴としている。
【００２１】
請求項７に記載の発明によれば、カバーを閉じる際、回転軸がカバーの張り出し部によって支持され、軸受けまで誘導されるようになっている。
【発明の効果】
【００２２】
請求項１に記載された発明によれば、ロール状の記録媒体を一旦仮置き台の上に仮置きして記録媒体の装填作業を行うことができる。このため、重量のあるロール状の記録媒体をマガジンに装填する場合でも、ユーザが怪我をする等の事故が起こる危険が少なく、また、暗室内等の目視で確認できない環境においても、簡易かつ安全にロール状の記録媒体の装填作業を行うことができるという効果を奏する。
【００２３】
請求項２に記載された発明によれば、仮置き台は、ヒンジの軸方向における両端部から中心に向かって低くなるように傾斜する上面にロール状の記録媒体を保持するので、ロール状の記録媒体が仮置き台の上でヒンジの軸に対して垂直方向に転がることがなく、安定した状態でマガジンへの装填作業を行うことができるという効果を奏する。
【００２４】
次に、請求項３に記載された発明によれば、仮置き台は、ヒンジを挟んで各カバーに配置される一対の台部材によって構成されるので、重量のあるロール状の記録媒体を仮置き台の上に載置した場合でも重量が各カバーに分散されて、ヒンジ部分に過度の負担がかかることがない。また、各台部材の上面はヒンジに向かって低くなるように傾斜しているので、ロール状の記録媒体が仮置き台の上でヒンジの軸に対して垂直方向に転がることがなく、安定した状態でマガジンへの装填作業を行うことができるという効果を奏する。
【００２５】
請求項４に記載された発明によれば、ロール状の記録媒体を仮置き台に仮置きしたとき、ロール状の記録媒体がカバー及びカバー内の各種部材と干渉しないようになっているので、ロール状の記録媒体の表面がカバー及びカバー内の各種部材によって傷付けられたり、カバー内の各種部材がロール状の記録媒体によって破損したりすることがない。このため、重量のあるロール状の記録媒体を装填する場合でも安全にマガジンを使用することができるという効果を奏する。
【００２６】
請求項５に記載された発明によれば、ロール状の記録媒体を仮置き台に仮置きしたとき、記録媒体の中空部の軸方向がカバーによって塞がれないようになっているので、仮置き台に仮置きした状態でロール状の記録媒体の中空部に回転軸を挿入することができ、簡易かつ安全に記録媒体の装填作業を行うことができるという効果を奏する。
【００２７】
請求項６に記載された発明によれば、カバーを閉じる際、記憶媒体が押圧側台部材の押圧部によって押圧され誘導側台部材の傾斜面に沿って転がり、回転軸がカバーの側壁に沿って軸受けまで誘導される。これにより、ユーザが記録媒体を仮置き台に仮置きした後自分で記録媒体を支持する回転軸を軸受けまで移動しなくてもカバーを閉じることにより記録媒体を自動的に所定位置に装填することができる。このため、重量のある記録媒体でも容易かつ安全にマガジンに装填することができるという効果を奏する。
【００２８】
請求項７に記載された発明によれば、カバーを閉じる際、記憶媒体が押圧側台部材の押圧部によって押圧され誘導側台部材の傾斜面に沿って転がるとともに、回転軸がカバーの張り出し部によって支持され、軸受けまで誘導される。これにより、ユーザが記録媒体を仮置き台に仮置きした後自分で記録媒体を支持する回転軸を軸受けまで移動しなくてもカバーを閉じることにより記録媒体を自動的に所定位置に装填することができる。このため、重量のある記録媒体でも容易かつ安全にマガジンに装填することができるという効果を奏する。
【発明を実施するための最良の形態】
【００２９】
以下、本発明に係るマガジンの実施の形態を、図１から図５を参照して説明する。
【００３０】
図１は、本発明に係るマガジンを適用した感光材料処理装置の一実施形態の概略構成を示す図である。感光材料処理装置１は、本発明の記録媒体である感光材料に対して露光及び現像を行うことで、感光材料上に画像を形成する装置である。この感光材料処理装置１には、画像データに基づいて感光材料の露光処理を行う露光処理装置２と、露光された感光材料に現像、乾燥、ソータ、補充などの現像処理を行う現像処理装置３とが備えられている。露光処理装置２には、露光処理手段の各構成部を内部に搭載した露光処理装置本体４と、露光処理装置本体４の外部に配置されて当該露光処理装置本体４に感光材料を供給するためのマガジン５とが設けられている。
【００３１】
図２はマガジン５の概略構成を表す斜視図である。この図２に示すように、マガジン５には、ロール状の感光材料Ｐが装填されるカバー６と、カバー６内で感光材料Ｐを回転自在に支持する回転軸７とが備えられている。
【００３２】
カバー６の上部一側方には、露光処理装置本体４に連結される連結部６０が設けられている。連結部６０には、感光材料Ｐを露光処理装置本体４に供給するための供給口６２が設けられている。また、カバー６の下部他側方には、ヒンジ６１（図３参照）が設けられている。カバー６は、連結部６０からヒンジ６１にかけて２分割されていて、ヒンジ６１を回転中心として開放されるようになっている。ここで、２分割されたカバー６のうち、図２において上側に位置する部分を第１カバー部６３とし、下側に位置する部分を第２カバー部６４とする。
【００３３】
さらに、図３及び図４に示すように、カバー６が開放されたとき床面に接して底部を構成する面には、ロール状の感光材料Ｐを仮置きする仮置き台５０が、ヒンジ６１の軸方向に延在して設けられている。仮置き台５０は、ヒンジ６１を挟んで第１カバー部６３の側に設けられた第１台部材５１と第２カバー部６４の側に設けられた第２台部材５２とから構成されており、第１台部材５１及び第２台部材５２の上面は、それぞれヒンジ６１に向かって低くなる傾斜面となっている。なお、第１台部材５１及び第２台部材５２の上面の傾斜角度は特に限定されないが、様々な巻き幅のロールに対応し、感光材料Ｐの表面に角が当たることのない角度とすることが好ましい。
【００３４】
第１台部材５１及び第２台部材５２の位置は、特に限定されないが、カバー６を閉じたときに仮置き台５０が感光材料Ｐ及びカバー６の内部に配置される各種の部材と干渉せず、また、感光材料Ｐを仮置きしたとき、感光材料Ｐがカバー６及び前記部材と干渉しない位置に配置される。したがって、マガジン５の内部を広く利用できるようにするためには、第１台部材５１及び第２台部材５２はできるだけヒンジ６１の近傍に配置されることが好ましい。
【００３５】
また、仮置き台５０に載置されるロール状の感光材料Ｐの中心には、感光材料Ｐの幅方向に向かって貫通し後述する回転軸７を挿入するための中空部８３が設けられており、第１台部材５１及び第２台部材５２は、上面に感光材料Ｐを載置したとき、感光材料Ｐの中空部８３の軸方向の空間がカバー６によって塞がれない位置に感光材料Ｐを保持するようになっている。
【００３６】
なお、仮置き台５０は、カバー６と一体に形成されていてもよいし、カバー６とは別個独立の部材をねじ等によりカバー６に固定するものとしてもよい。
【００３７】
また、第１台部材５１及び第２台部材５２を形成する材料は特に限定されないが、少なくとも第１台部材５１及び第２台部材５２の上面は、樹脂等の柔軟性を有する材料で形成されることが好ましい。第１台部材５１及び第２台部材５２の上面をこのような材料で構成することにより、感光材料Ｐを仮置き台５０に仮置きした際、感光材料Ｐが仮置き台５０の上で滑ることを防止し得るとともに、感光材料Ｐの表面に傷が付くことを防止することができる。
【００３８】
図３及び図４に示すように、カバー６の両側壁であって第１カバー部６３と第２カバー部６４との接合部分におけるほぼ中央には、回転軸７を回転自在に支持するための軸受けとしての凹部６５，６６が形成されている。この凹部６５，６６に回転軸７を配置して第１カバー部６３及び第２カバー部６４を閉じると、カバー６内部が遮光されるようになっている。また、これにより回転軸７の軸方向とカバー６の幅方向とは同一方向となる。
【００３９】
図３に示すように第１カバー部６３の外周面には取っ手６７が取り付けられている。この取っ手６７は、第１カバー部６３及び第２カバー部６４が開放されると、床に接触して第１カバー部６３を支持するようになっている。安定した支持を可能とするため、取っ手６７は第１カバー部６３の幅方向におけるほぼ中央に取り付けられることが好ましい。
【００４０】
第１カバー部６３の先端部には、供給口６２に感光材料Ｐを案内するための第１案内機構６８が設けられている。また、第２カバー部６４の先端部には、第１案内機構６８と協同して供給口６２に感光材料Ｐを案内するための第２案内機構６９が設けられている。
【００４１】
また、図４に示すように、第２カバー部６４の内部には、回転軸７に支持されたロール状の感光材料Ｐを挟んで、幅方向の移動を規制する一対のガイド部８１，８２設けられている。
【００４２】
回転軸７には、図４に示すように、ロール状の感光材料Ｐの中空部８３に貫通されて、当該感光材料を支持する支持部７１と、支持部７１の両側方でカバー６の凹部６５，６６に係合する係合溝７２とが備えられている。回転軸７に支持されたロール状の感光材料Ｐは、一対のガイド部８１，８２によって挟まれて、幅方向の移動が規制されることになる。
【００４３】
次に、本実施形態の作用について説明する。
【００４４】
感光材料Ｐをマガジン５に装填する際には、マガジン５を露光処理装置本体４から取り外して暗室に移動し、ヒンジ６１を回転中心として第１カバー部６３の取っ手６７及び第２カバー部６３が床面に接する位置までカバー６を開放し、マガジン５を安定させる。
【００４５】
感光材料Ｐを包装から取り出して感光材料Ｐの幅方向がヒンジ６１の軸方向と一致するように仮置き台の上に載置する。感光材料Ｐはヒンジ６１に向かって低くなるように傾斜する第１台部材５１及び第２台部材５２の上面で、ヒンジ６１の軸に対して垂直方向に転がることなく安定する。
【００４６】
ユーザは、感光材料Ｐを仮置き台５０に仮置きした状態で回転軸７をロール状の感光材料Ｐの中空部８３に挿入した後、感光材料Ｐを回転軸７の係合溝７２がカバー６の凹部６５，６６に係合する位置まで移動させる。
【００４７】
係合溝７２がカバー６の凹部６５，６６に係合し感光材料Ｐが所定の位置に設置されると、ユーザは感光材料Ｐの先端部を引き出して供給口６２に挿入し、カバー６を閉じる。これによりマガジン５の内部は遮光されるとともに、マガジン５を露光処理装置本体４に連結することにより、感光材料Ｐを露光処理装置本体４に供給可能な状態となる。
【００４８】
以上のように、本実施形態のマガジン５によれば、マガジン５の内部にロール状の感光材料Ｐを装填する際、感光材料Ｐを一旦ヒンジ６１の軸方向と感光材料Ｐの幅方向とが一致するように仮置き台の上に仮置きすることができる。また、第１台部材５１及び第２台部材５２は、上面に感光材料Ｐを載置したとき、カバー６が感光材料Ｐの中空部８３に係らない位置に感光材料Ｐを保持しているので、感光材料Ｐを仮置き台５０に載置した状態で感光材料Ｐの中空部８３に回転軸７を挿入する作業を行うことができる。このため、重量のあるロール状の感光材料Ｐをマガジン５に装填する過程においても、ユーザが回転軸７を挿入する際に怪我をする等の事故の危険が少なく、また、暗室内等の目視で確認できない環境でも、簡易かつ迅速に感光材料Ｐの装填動作を行うことができる。
【００４９】
なお、本実施形態においては、記録媒体として感光材料Ｐが装填されるマガジン５を例として説明したが、ロール状の記録媒体であれば感光材料以外の記録媒体が装填されるマガジンであっても適用可能である。
【００５０】
また、本実施形態においては、仮置き台５０をヒンジ６１を挟んで配置される第１台部材と第２台部材とから構成されるものとしたが、仮置き台５０の構成はこれに限定されない。例えば、第１カバー部６３又は第２カバー部６４のいずれかの側に１部材からなる仮置き台をヒンジ６１の軸方向に延在して設けてもよい。この場合、仮置き台の上面は、ヒンジ６１の軸方向における両端部から中央に向かって低くなる傾斜面とされる。これにより、感光材料Ｐは仮置き台の上面で、ヒンジ６１の軸に対して垂直方向に転がることなく安定する。
なお、この場合も、仮置き台は、カバー６を閉じたときに仮置き台が感光材料Ｐ及びカバー６の内部に配置される各種の部材と干渉しない位置であり、感光材料Ｐを仮置きしたとき、感光材料Ｐがカバー６及び前記部材と干渉しない位置であって、感光材料Ｐを載置したとき、カバー６が感光材料Ｐの中空部８３に係らない位置に感光材料Ｐを保持する位置に配置される。
【００５１】
また、本実施形態においては、感光材料Ｐに回転軸７を挿入した後、ユーザが感光材料Ｐを回転軸７の係合溝７２がカバー６の凹部６５，６６に係合する位置まで移動させることにより所定の位置に設置するものとしたが、カバー６を閉じることにより、係合溝７２がカバー６の端縁に沿って移動し凹部６５，６６に係合して所定の位置に設置されるようにしてもよい。
【００５２】
この場合、例えば、図５に示すように、押圧側台部材としての第１台部材５１に、傾斜面５１ａとほぼ同じ角度でヒンジ６１の設けられている側と反対の方向に延在する押圧部５１ｂを設ける。押圧部５１ｂは、例えば、図示しないヒンジによって第１台部材５１の傾斜面５１ａの一端にヒンジを中心軸として回動可能に取り付けられている。押圧部５１ｂと第１カバー部６３の底面との間には、押圧部５１ｂと係合し押圧部５１ｂを底面側から規制する規制部材５１ｃが設けられており、押圧部５１ｂが底面側に回動しないように規制するようになっている。規制部材５１ｃは、例えば、カバー６を閉じた際に図示しない解除部材によって押圧部５１ｂとの係合を解除されるようになっており、これにより、押圧部５１ｂは、感光材料Ｐから離れる方向に回動しカバー６及びカバー６の内部に配置される感光材料Ｐや各種部材と干渉しない位置まで退避するようになっている。
【００５３】
また、誘導側台部材としての第２台部材５２のヒンジ６１と対向する側と反対側にヒンジ６１から離れる方向に向かって低くなる傾斜面５６を形成する。さらに、図５に示すように、第２台部材５２の設けられている第２カバー部６４の両側壁に軸受けとなる凹部６６の下端から第１カバー部６３に向かって延在する張り出し部５７を設ける。
【００５４】
このような構成とした場合、ユーザが感光材料Ｐを仮置き台５０の上に載置すると、カバー６を閉じる際に仮置き台５０に載置された感光材料Ｐが押圧部５１ｂによって第２カバー部６４の側に押圧される。押圧部５１ｂによって押圧されると、感光材料Ｐは、第２台部材５２に設けられた傾斜面５６を転がることによりヒンジ６１と反対の方向に緩やかに移動する。その際、回転軸７の両端に設けられた係合溝７２が張り出し部５７と噛み合うことにより回転軸７が支持される。カバー６が閉じるに従い感光材料Ｐは押圧部５１ｂによって押圧され、回転軸７が張り出し部５７に支持されながら張り出し部５７の端縁に沿って軸受けである凹部６６まで移動する。そして、カバー６が閉じるとともに回転軸７が凹部６５，６６に係合し、感光材料Ｐがマガジン５の所定の位置に装填される。また、カバー６が閉じられると、押圧部５１ｂを規制していた規制部材５１ｃが解除部材によって解除され、押圧部５１ｂが感光材料Ｐから離れる方向に回動し、カバー６及びカバー６の内部に配置される感光材料Ｐや各種部材と干渉しない位置まで退避する。
【００５５】
これにより、ユーザは、感光材料Ｐを仮置き台５０の上に載置してカバー６を閉じるだけで自動的に感光材料Ｐを簡易かつ安全にマガジン５に装填することができる。また、カバー６が閉じた際には、押圧部５１ｂがカバー６及びカバー６の内部に配置される感光材料Ｐや各種部材と干渉しない位置まで退避するので、押圧部５１ｂによって感光材料Ｐや各種部材が傷つけられることもない。
【００５６】
なお、ここでは、第２カバー部６４の両側壁に張り出し部５７を設ける構成を例として説明したが、第２カバー部６４の両側壁の形状はカバー６を閉じたとき回転軸７を把持して軸受けとなる凹部６６まで導くことのできるものであればよく、ここに例示したものに限定されない。また、押圧部５１ｂが感光材料Ｐを押圧するための構造及びカバーを閉じた際に押圧部５１ｂがカバー６及びカバー６の内部に配置される感光材料Ｐや各種部材と干渉しない位置まで退避するための構造はここに例示したものに限定されない。
【００５７】
その他、本発明が上記実施の形態に限らず適宜変更可能であるのは勿論である。
【図面の簡単な説明】
【００５８】
【図１】本発明に係るマガジンを適用した感光材料処理装置の一実施形態の概略構成を示す図である。
【図２】本発明に係るマガジンの一実施形態の概略構成を表す斜視図である。
【図３】図２のマガジンに備わるカバーの開放状態を表す側断面図である。
【図４】図２のマガジンに備わるカバーの開放状態を表す上面図である。
【図５】本実施形態におけるマガジンの一変形例のカバーの開放状態を表す側断面図である。
【図６】従来のマガジンの開放状態を表す斜視図である。
【符号の説明】
【００５９】
１      感光材料処理装置
２      露光処理装置
３      現像処理装置
４      露光処理装置本体
５      マガジン
６      カバー
７      回転軸
５０      仮置き台
５１      第１台部材
５２      第２台部材
６０      連結部
６１      ヒンジ
６２      供給口
６３      第１カバー部
６４      第２カバー部
６５，６６      凹部
６７      取っ手
６８      第１案内機構
６９      第２案内機構
７１      支持部
７２      係合溝
８１，８２      ガイド部
Ｐ      感光材料（記録媒体）
【図１】
2006227280.tif 000003
【図２】
2006227280.tif 000004
【図３】
2006227280.tif 000005
【図４】
2006227280.tif 000006
【図５】
2006227280.tif 000007
【図６】
2006227280.tif 000008